(57)【要約】  無線通信システムの無線局（Ｎｏｄｅ Ｂ）の動作方法において、無線局（Ｎｏｄｅ Ｂ）は第１の加入者局（ＵＥ１）の後続のデータ伝送のために伝送パラメータの少なくとも２つの値（ＰＡＲ１，ＰＡＲ２）に関する情報を第１の加入者局（ＵＥ１）に送信する。無線局（Ｎｏｄｅ Ｂ）は第１の加入者局（ＵＥ１）から無線インタフェースを介して第１の信号（ＰＳ１）を受信し、この第１の信号（ＰＳ１）に基づき伝送品質に関する尺度を検出する。続けて無線局（Ｎｏｄｅ Ｂ）は伝送パラメータの値（ＰＡＲ１，ＰＡＲ２）の内の１つの選択のために第１の情報（Ｉ１）を第１の加入者局（ＵＥ１）に送信する。第１の情報（Ｉ１）は第１の信号（ＰＳ１）の伝送品質を考慮する。
2007535222.tif 000002
【特許請求の範囲】
【請求項１】
無線通信システムの無線局（Ｎｏｄｅ Ｂ）の動作方法において、
−前記無線局（Ｎｏｄｅ Ｂ）は第１の加入者局（ＵＥ１）の後続のデータ伝送のために伝送パラメータの少なくとも２つの値（ＰＡＲ１，ＰＡＲ２，ＰＡＲ３，ＰＡＲ４）に関する情報を前記第１の加入者局（ＵＥ１）に送信し、
−前記無線局（Ｎｏｄｅ Ｂ）は前記第１の加入者局（ＵＥ１）から無線インタフェースを介して第１の信号（ＰＳ１）を受信し、該第１の信号（ＰＳ１）に基づき伝送品質に関する尺度を検出し、
−前記無線局（Ｎｏｄｅ Ｂ）は前記伝送パラメータの値（ＰＡＲ１，ＰＡＲ２，ＰＡＲ３，ＰＡＲ４）の内の１つの選択のために第１の情報（Ｉ１）を前記第１の加入者局（ＵＥ１）に送信し、前記第１の情報（Ｉ１）は前記第１の信号（ＰＳ１）の前記伝送品質を考慮することを特徴とする、無線通信システムの無線局の動作方法。
【請求項２】
前記第１の情報（Ｉ１）を１ビットから構成する、請求項１記載の方法。
【請求項３】
前記無線局（Ｎｏｄｅ Ｂ）は前記第１の信号（ＰＳ１）の前記伝送品質に関する尺度と限界値（Ｇ１）との比較に基づき前記第１の情報（Ｉ１）を決定する、請求項１または２記載の方法。
【請求項４】
前記第１の情報（Ｉ１）が所定の内容である場合には、続く前記第１の加入者局（ＵＥ１）のデータ伝送を行わない、請求項１から３までのいずれか１項記載の方法。
【請求項５】
前記無線局（Ｎｏｄｅ Ｂ）は前記伝送パラメータの少なくとも２つの値（ＰＡＲ１，ＰＡＲ２）に関する情報および前記第１の情報（Ｉ１）を反復的に送信し、前記伝送パラメータの少なくとも２つの値（ＰＡＲ１，ＰＡＲ２）に関する情報の反復率（Ｒ１）は前記第１の情報（Ｉ１）の反復率（Ｒ２）よりも小さい、請求項１から４までのいずれか１項記載の方法。
【請求項６】
−前記無線局（Ｎｏｄｅ Ｂ）は少なくとも１つの第２の無線局（ＵＥ２）から第２の信号（ＰＳ２）を受信し、該第２の信号（ＰＳ２）に基づき該第２の信号（ＰＳ２）の伝送品質に関する尺度を検出し、
−前記無線局（Ｎｏｄｅ Ｂ）は第２の情報（Ｉ２）を前記第１の情報（Ｉ１）にも前記第２の情報（Ｉ２）にも依存する前記伝送パラメータの値（ＰＡＲ１，ＰＡＲ２，ＰＡＲ３，ＰＡＲ４）の内の１つの選択のために前記第１の加入者局（ＵＥ１）に送信し、前記第２の情報（Ｉ２）は前記第２の信号（ＰＳ２）の前記伝送品質を考慮する、請求項１記載の方法。
【請求項７】
前記第１の情報（Ｉ１）および前記第２の情報（Ｉ２）をそれぞれ１ビットから構成する、請求項６記載の方法。
【請求項８】
前記無線局（Ｎｏｄｅ Ｂ）は前記伝送品質に関する相応の尺度と限界値（Ｇ２）との比較に基づき前記第１の情報（Ｉ１）および前記第２の情報（Ｉ２）をそれぞれ決定する、請求項６または７記載の方法。
【請求項９】
前記無線局（Ｎｏｄｅ Ｂ）は前記伝送パラメータの少なくとも２つの値（ＰＡＲ１，ＰＡＲ２，ＰＡＲ３，ＰＡＲ４）に関する情報ならびに前記第１の情報（Ｉ１）および前記第２の情報（Ｉ２）を反復的に送信し、前記伝送パラメータの少なくとも２つの値（ＰＡＲ１，ＰＡＲ２，ＰＡＲ３，ＰＡＲ４）に関する情報の反復率（Ｒ１）は前記第１の情報（Ｉ１）の反復率（Ｒ２）および前記第２の情報（Ｉ２）の反復率（Ｒ２）よりも小さい、請求項６から８までのいずれか１項記載の方法。
【請求項１０】
ネットワーク装置（ＲＮＣ）により前記無線局（Ｎｏｄｅ Ｂ）に前記限界値（Ｇ１，Ｇ２）の値を設定する、請求項５または９記載の方法。
【請求項１１】
前記限界値（Ｇ１，Ｇ２）の値を前記無線局（Ｎｏｄｅ Ｂ）によって受信される加入者局（ＵＥ１，ＵＥ２）の数に依存して設定する、請求項５、９または１０記載の方法。
【請求項１２】
前記無線局（Ｎｏｄｅ Ｂ）は前記伝送パラメータの少なくとも２つの値（ＰＡＲ１，ＰＡＲ２，ＰＡＲ３，ＰＡＲ４）に関する情報を前記限界値（Ｇ１，Ｇ２）の値に依存して、および／または、前記無線局によって受信される加入者局（ＵＥ１，ＵＥ２）の数に依存して、および／または、前記無線局（Ｎｏｄｅ Ｂ）のノイズレベルまたは干渉レベルに依存して、および／または、受信される全ての加入者局（ＵＥ１，ＵＥ２）の平均的な伝送品質に依存して設定する、請求項１から１１までのいずれか１項記載の方法。
【請求項１３】
前記無線局（Ｎｏｄｅ Ｂ）は該無線局（Ｎｏｄｅ Ｂ）によって受信される全ての加入者局（ＵＥ１，ＵＥ２）に前記伝送パラメータの少なくとも２つの値（ＰＡＲ１，ＰＡＲ２，ＰＡＲ３，ＰＡＲ４）に関する同一の情報を送信する、請求項１から１２までのいずれか１項記載の方法。
【請求項１４】
パイロット信号を前記伝送品質に関する尺度を検出するための信号（ＰＳ１，ＰＳ２）として受信する、請求項１から１３までのいずれか１項記載の方法。
【請求項１５】
無線通信システムの第１の加入者局（ＵＥ１）の動作方法において、
−前記第１の加入者局（ＵＥ１）は該第１の加入者局（ＵＥ１）の後続のデータ伝送のために伝送パラメータの少なくとも２つの値（ＰＡＲ１，ＰＡＲ２，ＰＡＲ３，ＰＡＲ４）に関する情報を無線局（Ｎｏｄｅ Ｂ）から受信し、
−前記第１の加入者局（ＵＥ１）は第１の信号（ＰＳ１）を、該第１の信号（ＰＳ１）に基づく伝送品質に関する尺度の検出のために前記無線局（Ｎｏｄｅ Ｂ）に無線インタフェースを介して送信し、
−前記第１の加入者局（ＵＥ１）は前記伝送パラメータの値（ＰＡＲ１，ＰＡＲ２，ＰＡＲ３，ＰＡＲ４）の内の１つの選択のために前記無線局（Ｎｏｄｅ Ｂ）から第１の情報（Ｉ１）を受信し、前記第１の情報（Ｉ１）は前記第１の信号（ＰＳ１）の前記伝送品質を考慮することを特徴とする、無線通信システムの第１の加入者局の動作方法。
【請求項１６】
無線通信システムの無線局（Ｎｏｄｅ Ｂ）において、
−第１の加入者局（ＵＥ１）の後続のデータ伝送のために伝送パラメータの少なくとも２つの値（ＰＡＲ１，ＰＡＲ２，ＰＡＲ３，ＰＡＲ４）に関する情報を前記第１の加入者局（ＵＥ１）に送信する手段（ＳＥ）を有し、
−前記第１の加入者局（ＵＥ１）から無線インタフェースを介して第１の信号（ＰＳ１）を受信する手段（ＳＥ）と、該第１の信号（ＰＳ１）に基づき伝送品質に関する尺度を検出する手段（Ｐ）とを有し、
−前記伝送パラメータの値（ＰＡＲ１，ＰＡＲ２，ＰＡＲ３，ＰＡＲ４）の内の１つの選択のために第１の情報（Ｉ１）を前記第１の加入者局（ＵＥ１）に送信する手段（ＳＥ）を有し、前記第１の情報（Ｉ１）は前記第１の信号（ＰＳ１）の前記伝送品質を考慮することを特徴とする、無線通信システムの無線局。
【請求項１７】
無線通信システムの加入者局（ＵＥ１，ＵＥ２）において、
−前記加入者局（ＵＥ１）の後続のデータ伝送のために伝送パラメータの少なくとも２つの値（ＰＡＲ１，ＰＡＲ２，ＰＡＲ３，ＰＡＲ４）に関する情報を無線局（Ｎｏｄｅ Ｂ）から受信する手段（ＳＥ１）を有し、
−第１の信号（ＰＳ１）を、該第１の信号（ＰＳ１）に基づく伝送品質に関する尺度の検出のために前記無線局（Ｎｏｄｅ Ｂ）に無線インタフェースを介して送信する手段（ＳＥ１）を有し、
−前記伝送パラメータの値（ＰＡＲ１，ＰＡＲ２，ＰＡＲ３，ＰＡＲ４）の内の１つの選択のために前記無線局（Ｎｏｄｅ Ｂ）から第１の情報（Ｉ１）を受信する手段（ＳＥ１）を有し、前記第１の情報（Ｉ１）は前記第１の信号（ＰＳ１）の前記伝送品質を考慮することを特徴とする、無線通信システムの加入者局。
【発明の詳細な説明】
【技術分野】
【０００１】
本発明は無線通信システムの無線局の動作方法および加入者局の動作方法ならびに相応の無線局および相応の加入者局に関する。
【０００２】
無線通信システムにおいては、伝送がコネクションに依存してプランニングされる場合（リンク適合式のスケジューリング；link-adaptive scheduling）には、下り方向（ダウンリンク：ＤＬ）における伝送を大幅に改善できることが明らかになった。下り方向においてこのようにプランニングされる伝送では、伝送時に良好な伝送条件、すなわち良好な伝送チャネルを有する加入者局とのみ基地局はデータを交換する。このやり方では、伝送条件が不利な場合には例えば高い経路損失は比較的大きい送信出力によって補償調整されるので必要とされる送信出力は比較的小さい。さらには送信出力が比較的小さいので生じる干渉も僅かである。コネクションに依存して制御される下り方向の伝送は、例えば経路損失が大きい時点にその伝送を中断し、伝送条件が良好になると伝送を再開する。
【０００３】
しかしながらコネクション品質に依存する伝送ストラテジは伝送時の付加的な遅延を惹起する。この理由により伝送のこの種の用途は専らデータをリアルタイムで伝送する必要が無いサービスに制限されている。したがってコネクション品質に依存する伝送ストラテジは、この伝送ストラテジが基地局によって管理される加入者局のもとでデータスループット、割り当てられるリソース、フェアネスの間での十分な譲歩が保証されるように構成されることが望ましい。専らデータスループットに焦点を合わせることは、基地局から遠く離れている加入者局には不利である。他方では公平な処理においては、すなわち全ての加入者局を同等に処理する場合には、不利な伝送条件を有する多数の加入者局にもリソースが割り当てられるので全体のデータスループットが低減する恐れがある。
【０００４】
伝送品質に依存する伝送ストラテジは基地局とこの基地局により管理される加入者局との間での大量のシグナリングデータの交換を要求する。基地局は各加入者局のための伝送チャネルを測定して、各加入者局に相応の返答を送信する必要がある。基地局も各加入者局も、チャネル符号化、送信出力、変調方法または使用される拡散係数のような伝送パラメータの使用に関する同一の情報を如何なる時点においても使用する必要がある。しかしながら、可能な限り大きいスペクトル効率が達成されるので、この種のシグナリングが可能な限り僅かなデータ交換を要求する場合には有利である。
【０００５】
目下のところ、３ＧＰＰ（第３世代パートナーシッププロジェクト）においては伝送を改善するために加入者毎の伝送チャネルを上り方向（アップリンク：ＵＬ）において調整することが論じられている。この種の伝送チャネルは例えばＥＵＤＴＣＨ（Enhanced Uplink Dedicated Transport Channel）と称される。この伝送チャネルに関する伝送ストラテジは例えば、下り方向におけるＨＳＤＰＡ（High Speed Downlink Packet Access）と称される伝送の場合と同様に伝送品質に依存して行われるべきである。
【０００６】
Michael Mecking著「Resource Allocation for Fading Multiple-Access Channels with Partial Channel State Information", Proc. IEEE International Conference on Communications」New York、２００２年４月では、モバイル加入者がそれぞれ基地局とのコネクションを有する。上り方向における全てのモバイル加入者の伝送品質に関する情報に基づいて、各モバイル加入者に基地局のノイズの変化ならびに他の全てのモバイル加入者のコネクションのフェージング特性が既知である限り、この各モバイル加入者は後続の伝送のために自身の固有の送信出力を計算する。
【０００７】
本発明の課題は、使用される伝送チャネルの伝送品質に応じて、加入者局から無線局への伝送のために所定の伝送パラメータを使用することを僅かなシグナリングで実現する、無線局の動作方法および加入者局の動作方法ならびに無線局および加入者局を提供することである。
【０００８】
この課題は独立請求項による方法ならびに無線局および加入者局によって解決される。
【０００９】
本発明の有利な実施形態は従属請求項に記載されている。
【００１０】
本発明による無線通信システムの無線局の動作方法においては、無線局が伝送パラメータの少なくとも２つの値に関する情報を第１の加入者局の後続のデータ伝送のために第１の加入者へと送信する。本発明によれば無線局が第１の信号を第１の加入者局から無線インタフェースを介して受信し、この第１の信号に基づいて伝送品質に関する尺度を検出する。本発明の範囲においては、無線局が伝送パラメータの値の内の１つの選択のために第１の情報を第１の加入者局に送信し、ここで第１の情報は第１の信号の伝送品質を考慮する。
【００１１】
伝送品質に関する尺度は例えばビット誤り率（ＢＥＲ；ビットエラーレート）、ブロック誤り率（ＢＬＥＲ；ブロックエラーレート）、フレーム誤り率（ＦＥＲ；フレームエラーレート）、信号対ノイズ比（ＳＮＲ）または信号対干渉比（ＳＩＲ）である。伝送パラメータの少なくとも２つの値に関する情報を用いることにより、少なくとも２つの値をもちろん明示的にも暗示的にもシグナリングすることができる。暗示的なシグナリングの場合、第１の加入者局が例えばテーブルに基づいて情報に少なくとも２つの値を割り当てる。
【００１２】
少なくとも２つの値に関する情報に基づいて後続のデータ伝送を行う前に選択可能な少なくとも２つの値を確認し、第１の情報に基づいて値の内の１つを選択することによって、第１の加入者局が、この第１の加入者によって使用されるべき伝送パラメータの値を反復的に自身で計算する、もしくは伝送が行われる前に明示的なシグナリングの形態で無線局からその都度受信することはもはや必要とされない。続いて使用されるべき伝送パラメータの値を明示的にシグナリングすることに比べて、第１の情報はより少ないデータ（ビット）を有するので、より僅かなシグナリングの手間しか要求されない。すなわち第１の情報は僅かな伝送リソースしか必要としない。伝送リソースとは例えば、チャネル符号化、拡散符号またはスクランブル符号、使用される送信出力、使用される周波数および／または伝送のために必要とされる時間（例えば、ＴＤＤ（時分割多重方式）での無線通信システムにおけるタイムスロットの数）と解される。
【００１３】
第１の加入者局に複数の伝送パラメータについてそれぞれ少なくとも２つの値に関する情報が無線局から送信される場合には、本発明により加入者局は第１の情報に基づき各伝送パラメータについて１つの値を選択することができる。したがって第１の情報には伝送パラメータの値の組み合わせを対応付けることができる。伝送品質に応じて、すなわち第１の情報の内容に応じて第１の加入者局は伝送パラメータの値の相応の組み合わせを選択する。
【００１４】
本発明の有利な実施形態においては第１の情報が１ビットから構成される。つまり例えば、第１の情報の一方の値（ビット値）を伝送パラメータの第１の値に対応付けることができ、また他方の値を伝送パラメータの第２の値に対応付けることができる。したがって第１の加入者局は個々のビットに基づき、後続のデータ伝送のための伝送パラメータの値の内のどの値を使用するかを判断することができる。
【００１５】
有利には、無線局は第１の情報を第１の信号の伝送品質に関する尺度と限界値との比較に基づき決定する。したがって第１の加入者局による伝送パラメータの値の内の１つの選択は、伝送品質の尺度に関する値が所定の値を上回るか下回るかに依存する。例えば、第１の加入者局は伝送品質の尺度に関する値が限界値を上回った際に、すなわち相応の第１の情報の受信後に、続いてデータを所定の伝送パラメータを用いて送信し、他方では第１の加入者局は伝送品質の尺度に関する値が限界値を下回った際に、続いて別の伝送パラメータを使用する。
【００１６】
本発明の実施形態においては、第１の情報が所定の内容である場合には、続く第１の加入者局のデータ伝送は行われない。例えば伝送パラメータは送信出力であり、第１の情報のビット値「０」は送信出力値「０」に対応付けられている。この対応付けによって、第１の加入者局は伝送品質が最低値を有する場合にのみデータを伝送することができる。
【００１７】
有利には、無線局が伝送パラメータの少なくとも２つの値に関する情報および第１の情報を反復的に送信し、ここで伝送パラメータの少なくとも２つの値に関する情報の反復率は第１の情報の反復率よりも小さい。このようにして、第１の情報に基づき選択される伝送パラメータの値を迅速に変更することができ、他方では選択に使用される値が変更されることは殆どない。これにより例えば無線インタフェースへのシグナリング負荷は可能な限り僅かなものに低減される。何故ならば、第１の情報の伝送は伝送パラメータの選択可能な値の伝送に比べて僅かなビット、つまり僅かな伝送リソースしか要求されないからである。
【００１８】
本発明の択一的な実施形態では、無線局が第２の信号を少なくとも１つの第２の加入者局から受信し、この第２の信号に基づき第２の信号の伝送品質に関する尺度が検出される。さらに無線局は第１の情報ならびに第２の情報に依存して伝送パラメータの値の内の１つを選択するために第２の情報を第１の加入者局に送信し、ここで第２の情報は第２の信号の伝送品質を考慮する。
【００１９】
したがって伝送パラメータの値の内の１つの選択は第１の加入者局の伝送品質に依存して行われるだけではなく、付加的に第２の加入者局の伝送品質も考慮することができる。
【００２０】
本発明のこの択一的な実施形態に関して、第１の情報および第２の情報がそれぞれ１ビットから形成される場合には、僅かな信号負荷の意味において有利である。
【００２１】
さらに有利には、無線局は伝送品質に関する相応の尺度と限界値との比較に基づき第１の情報および第２の情報をそれぞれ検出する。
【００２２】
本発明の第１の実施形態に関して記述した利点と同様の利点でもって、無線局は伝送パラメータの少なくとも２つの値に関する情報また第１の情報および第２の情報を反復的に送信し、ここで伝送パラメータの少なくとも２つの値に関する情報の反復率は第１の情報の反復率および第２の情報の反復率よりも小さい。もちろん、第１の情報と第２の情報の反復率は同一でも良いし、異なっていても良い。
【００２３】
有利には限界値の値がネットワーク装置によって無線局に設定される。ネットワーク装置は限界値を計算するために他の無線局によって管理される別の加入者局に関する情報を使用することができる。
【００２４】
有利な実施形態によれば、限界値の値は無線局によって受信される加入者局の数に依存して設定される。例えば、無線局によって管理される加入者局の数が多くなればなるほど限界値をより大きく選択することができ、例えばより多くの加入者局に伝送パラメータの値に関する同一の情報が無線局から送信される場合には、受信される加入者局の数に依存して限界値を相応に選択することによって、同一の第１の情報に基づき伝送パラメータの同一の値を選択する加入者局の数を制限することができる。殊に、受信される加入者局の数が増すと共に大きくなる限界値を用いることにより、受信する加入者局の数が多くなると共に同時に送信を行う加入者局の数が増すことを回避することができる。したがって殊に干渉が低減される。
【００２５】
さらには、無線局が伝送パラメータの少なくとも２つの値に関する情報を限界値の値に依存して、および／または、無線局によって受信される加入者局の数に依存して、および／または、無線局のノイズレベルまたは干渉レベルに依存して、および／または、受信される全ての加入者局の平均的な伝送品質に依存して設定する場合には殊に有利である。このようにして、伝送パラメータの選択可能な少なくとも２つの値を可能な限りフレキシブルに目下の伝送条件に適合させることができる。
【００２６】
無線局がこの無線局によって受信される全ての加入者局に伝送パラメータの少なくとも２つの値に関する同一の情報を送信する場合には有利である。
【００２７】
有利には、パイロット信号が伝送品質に関する尺度を検出するための信号として受信される。
【００２８】
本発明による無線通信システムにおける第１の加入者局の動作方法においては、第１の加入者局が伝送パラメータの少なくとも２つの値に関する情報を第１の加入者局の後続のデータ伝送のために無線局から受信する。本発明によれば、第１の加入者局が第１の信号をこの第１の信号に基づく伝送品質に関する尺度の検出のために無線インタフェースを介して無線局に送信し、伝送パラメータの値の内の１つを選択するために無線局からの第１の情報を受信し、ここで第１の情報は第１の信号の伝送品質を考慮する。
【００２９】
無線局ならびに加入者局は、本発明による方法を実施するために必要とされる全ての特徴を有する。殊に本発明による無線局および本発明による加入者局には、本発明による方法のステップまたは方法の変形を実施するための手段が設けられている。
【００３０】
以下では本発明を図面に示した実施例に基づき詳細に説明する。ここで、
図１は本発明による方法の第１の実施例を示し、
図２は本発明による方法の第２の実施例を示す。
【００３１】
図中の同一の参照番号は同一の対象を表す。
【００３２】
加入者局は例えば、画像データおよび／または音声データを伝送するため、ファックス、ショートメッセージサービスＳＭＳおよび／またはＥメールを送信するため、および／または、インターネットアクセスのための移動電話または可動の装置または固定の装置である。
【００３３】
無線局は例えばセルラ無線通信システムの基地局、無線ネットワーク（Ｗ−ＬＡＮ：ワイヤレス・ローカルエリアネットワーク）のアクセスポイントまたは、例えばアドホックネットワークにおける加入者局である。以下では無線局として基地局を考察するが、これは本発明を制限することを意図するものではない。
【００３４】
有利には本発明を任意の無線通信システムに使用することができる。無線通信システムとは局間のデータ伝送が無線インタフェースを介して行われるシステムと解される。データ伝送を双方向でも単方向でも行うことができる。殊に無線通信システムは例えばＧＳＭ（Global System for Mobile Communications）またはＵＭＴＳ（Universal Mobile Telecommunications System Standard）による任意の移動無線システムである。将来の移動無線システム、例えば第４世代の移動無線システムならびにアドホックネットワークも無線通信システムと解される。無線通信システムは例えば無線ローカルネットワーク（Ｗ−ＬＡＮ）、例えばＩＥＥＥ（Institut of Electrical and Electronical Engineers）８０２．１１ａ−ｉ標準ならびにハイパーＬＡＮ１およびハイパーＬＡＮ２（ハイパーＬＡＮ：High Performance Radio Local Area Network）およびブルートゥースネットワークでもある。
【００３５】
以下では本発明をＵＭＴＳ標準による移動無線システムを例とするが、これは本発明を制限することを意図するものではない。
【００３６】
図１は本発明による無線通信システムにおける基地局および加入者局の動作方法の第１の実施例の概略図を示す。基地局Ｎｏｄｅ Ｂは信号を送受信するための送信／受信ユニットＳＥを有する。送受信ユニットＳＥは制御ユニットＰ、例えばプロセッサによって制御される。基地局Ｎｏｄｅ Ｂは無線インタフェースを介して伝送パラメータの第１の値ＰＡＲ１および第２の値ＰＡＲ２を第１の加入者局ＵＥ１に反復的に送信する。伝送パラメータの２つの値ＰＡＲ１，ＰＡＲ２を基地局Ｎｏｄｅ Ｂは第１の反復率Ｒ１でもって加入者局ＵＥ１に送信する。基地局Ｎｏｄｅ Ｂが伝送パラメータの２つの値ＰＡＲ１，ＰＡＲ２を暗示的にシグナリングできることも自明である。
【００３７】
伝送パラメータとは例えば送信出力、拡散係数、符号化率または変調符号と解される。また本発明によって、基地局Ｎｏｄｅ Ｂが複数の伝送パラメータに関してそれぞれ少なくとも２つの値を第１の加入者局ＵＥ１に送信できることも自明である。
【００３８】
第１の加入者局ＵＥ１は信号を送受信するための送信／受信ユニットＳＥ１を有する。例えば送受信ユニットＳＥ１は伝送パラメータの値ＰＡＲ１，ＰＡＲ２を受信するために使用される。第１の送受信ユニットＳＥ１は第１のプロセッサＰ１によって制御される。第１の加入者局ＵＥ１は第１のパイロット信号ＰＳ１を無線インタフェースを介して基地局Ｎｏｄｅ Ｂに送信する。
【００３９】
第１のパイロット信号ＰＳ１を他の信号、例えば有効データと共に送信することができる。パイロット信号ＰＳ１は例えば基地局Ｎｏｄｅ Ｂに既知である信号または信号列である。殊に基地局Ｎｏｄｅ Ｂには、第１の加入者局ＵＥ１が第１のパイロット信号ＰＳ１を送信するために使用する送信出力も既知である。
【００４０】
第１のパイロット信号ＰＳ１の受信出力を測定することによって、および／または、受信した第１のパイロット信号ＰＳ１を基地局Ｎｏｄｅ Ｂに記憶されている相応の基準信号と比較することによって、基地局Ｎｏｄｅ Ｂは第１の加入者局ＵＥ１から無線インタフェースを介するこの基地局Ｎｏｄｅ Ｂへの伝送のための伝送品質に関する尺度を検出する。基地局Ｎｏｄｅ Ｂはこのようにして検出された伝送品質の尺度を第１の限界値Ｇ１と比較する。第１の限界値Ｇ１との比較に基づき基地局Ｎｏｄｅ Ｂは第１の情報Ｉ１を設定する。第１の情報Ｉ１は例えば、伝送品質に関して求められた尺度が第１の限界値Ｇ１を上回る場合にはビット値「１」を有し、また伝送品質に関して求められた尺度が第１の限界値Ｇ１を下回る場合には第２のビット値「０」を有する。この実施例においては、伝送品質に関する尺度は第１の限界値Ｇ１よりも大きく、また第１の情報のビット値は「１」である。
【００４１】
基地局Ｎｏｄｅ Ｂは第１の情報Ｉ１を第２の反復率Ｒ２で第１の加入者局ＵＥ１に送信する。第１の加入者局ＵＥ１は、伝送パラメータの２つの値ＰＡＲ１，ＰＡＲ２からビット値「１」に対応付けられている第１の値ＰＡＲ１を選択するために第１の情報Ｉ１を使用する。ビット値「０」は伝送パラメータの第２の値ＰＡＲ２に対応付けられている。続けて第１の加入者局ＵＥ１は第１のデータＤ１を伝送パラメータの第１の値ＰＡＲ１を使用して伝送する。
【００４２】
図１における括弧で括られた参照符号によって、括弧の前の参照符号によって表される指標ないし値は括弧内の指標と関連していることが表される。第１のデータの参照符号Ｄ１の後の括弧内の参照符号は例えば、第１のデータＤ１が伝送パラメータの第１の値ＰＡＲ１を使用して伝送され、また伝送パラメータの第１の値ＰＡＲ１が第１の情報Ｉ１に依存して選択されたことを表している。
【００４３】
有利には本発明によって、第１の情報Ｉ１の形態で伝送される単一のビットを使用することによって、続いて第１の加入者局ＵＥ１から基地局Ｎｏｄｅ Ｂへの第１のデータＤ１の伝送に関する伝送パラメータの値が選択されることが実現される。第１の情報Ｉ１が１ビット以上有し、したがってこの第１の情報Ｉ１を、伝送パラメータの２つ以上の値を選択するために使用できることも自明である。
【００４４】
例えば伝送パラメータとして第１の加入者局ＵＥ１が第１のデータＤ１を伝送する際に用いる送信出力が考えられる。例えば第２の値ＰＡＲ２によって送信出力が「０」にセットされるならば、第１の限界値Ｇ１を下回る場合に第１の加入者局ＵＥ１がデータを基地局Ｎｏｄｅ Ｂに送信しないことが達成される。
【００４５】
複数の伝送パラメータそれぞれに関して少なくとも１つの第１の値および少なくとも１つの第２の値が基地局Ｎｏｄｅ Ｂから第１の加入者局ＵＥ１に送信される場合には、例えば第１の情報Ｉ１のビット値「１」によって各伝送パラメータの第１の値がそれぞれ第１の加入者局ＵＥ１によって選択され、他方ではビット値「０」によって各伝送パラメータの第２の値がそれぞれ選択される。このようにして単一のビットの伝送によって第１の加入者局ＵＥ１は複数の伝送パラメータに関してそれぞれ１つの値を選択することができる。
【００４６】
第２の反復率Ｒ２は第１の反復率Ｒ１よりも大きく選択される。このようにして伝送パラメータの２段階の調整が実現される。伝送品質の迅速な変更、すなわち第１の情報Ｉ１の種々の値を、この第１の情報Ｉ１の伝送に関する高い反復率によって考慮することができる。伝送パラメータの選択に使用される値、すなわち第１の値ＰＡＲ１および第２の値ＰＡＲ２は通常の場合、緩慢に変化する量、例えば平均的な伝送品質にしか依存しないので、緩慢なタイムスケールで変化する可能性はある。
【００４７】
この実施例においては、第１の限界値Ｇ１が無線ネットワークコントローラＲＮＣによって基地局Ｎｏｄｅ Ｂに通知される。このことは、第１の限界値Ｇ１が基地局Ｎｏｄｅ Ｂには既知ではない情報に依存する可能性があるので有利である。例えば無線ネットワークコントローラＲＮＣは第１の加入者局ＵＥ１および／または別の加入者局と別の基地局とのコネクションに関する情報も使用することができる。第１の限界値Ｇ１を基地局Ｎｏｄｅ Ｂ自体によっても求められる、および／または、設定できることは自明である。
【００４８】
図示していない実施例においては基地局Ｎｏｄｅ Ｂが同時に複数の加入者局とのコネクションを有し、これら複数の加入者局に基地局Ｎｏｄｅ Ｂが少なくとも１つの伝送パラメータのそれぞれ少なくとも２つの値をシグナリングする。さらに基地局は第１の情報に対応する加入者局固有のそれぞれの情報を伝送パラメータの内の１つを選択するために別の加入者局にも送信する。例えば加入者局はそれぞれの情報のビット値が等しい場合に伝送パラメータの同一の値を使用する。
【００４９】
図２は本発明の第２の実施例の概略図である。基地局Ｎｏｄｅ Ｂは無線送信チャネルＢＣＣＨにおいて伝送パラメータの第１の値ＰＡＲ１および第２の値ＰＡＲ２ならびに第３の値ＰＡＲ３および第４の値ＰＡＲ４を第１の反復率Ｒ１でもって送信する。基地局Ｎｏｄｅ Ｂは図１に基づき説明したように第１の加入者局ＵＥ１から第１のパイロット信号ＰＳ１を受信する。第２のプロセッサＰ２によって制御される第２の送受信ユニットＳＥ２を有する第２の加入者局ＵＥ２から基地局Ｎｏｄｅ Ｂは第２のパイロット信号ＰＳ２を受信する。第１のパイロット信号ＰＳ１および第２のパイロット信号ＰＳ２に基づき基地局Ｎｏｄｅ Ｂは第１の加入者局ＵＥ１および第２の加入者局ＵＥ２の伝送のための伝送品質に関する尺度をそれぞれ検出する。第１の加入者局ＵＥ１の伝送品質に関する尺度を第２の限界値Ｇ２と比較することによって、基地局Ｎｏｄｅ Ｂは第１の情報Ｉ１を前述の図１に基づき説明したやり方と同じやり方で求める。第２の加入者局ＵＥ２の伝送のための伝送品質に関する尺度も第２の限界値Ｇ２と比較され、この比較から第２の情報Ｉ２が第１の情報Ｉ１を求めたやり方に相応するやり方で求められる。
【００５０】
基地局Ｎｏｄｅ Ｂはこのようにして求められた第１の情報Ｉ１および第２の情報Ｉ２を無線チャネルＢＣＣＨにおいてそれぞれ第２の反復率Ｒ２で送信する。伝送パラメータの値ＰＡＲ１，ＰＡＲ２，ＰＡＲ３，ＰＡＲ４も第１の情報Ｉ１および第２の情報Ｉ２も第１の加入者局ＵＥ１および第２の加入者局ＵＥ２によって受信される。基地局Ｎｏｄｅ Ｂが第１の情報Ｉ１と第２の情報Ｉ２を異なる反復率で伝送できることも自明である。殊に、それぞれの値が先行する値と比べて変化した場合にのみ、第１の情報Ｉ１および第２の情報Ｉ２が伝送されることは好適である。
【００５１】
２つの加入者局ＵＥ１，ＵＥ２は第１の情報Ｉ１にも第２の情報Ｉ２にも依存して伝送パラメータの値ＰＡＲ１，ＰＡＲ２，ＰＡＲ３，ＰＡＲ４を選択する。例えば第１の情報Ｉ１がビット値「１」を有し、すなわち第１の加入者局ＵＥ１の伝送品質に関する尺度が例えば第２の限界値Ｇ２よりも大きく、他方では第２の情報Ｉ２がビット値「０」を有する、すなわち第２の加入者局ＵＥ２の伝送品質に関する尺度が第２の限界値Ｇ２よりも小さい。第１の情報Ｉ１と第２の情報Ｉ２のこの組み合わせに関して、第１の加入者局ＵＥ１は第１のデータＤ１の後続の伝送のために伝送パラメータの第１の値ＰＡＲ１を選択する。第２の加入者局ＵＥ２はこのビット組み合わせに基づいて、基地局Ｎｏｄｅ Ｂへの第２のデータの後続の伝送のために伝送パラメータの第２の値ＰＡＲ２を選択する。伝送パラメータの他の値の選択は第１の情報Ｉ１および第２の情報Ｉ２の他のビット組み合わせにおいて行われる。各ビット組み合わせは伝送パラメータの値ＰＡＲ１，ＰＡＲ２，ＰＡＲ３，ＰＡＲ４の内の１つに対応付けられている。本発明によって、２つの加入者局ＵＥ１，ＵＥ２は所定のビット組み合わせにおいて伝送パラメータの同一の値または異なる値を選択することができる。ビット組み合わせの伝送パラメータの値ＰＡＲ１，ＰＡＲ２，ＰＡＲ３，ＰＡＲ４への対応付けは、例えば各加入者局ＵＥ１，ＵＥ２に記憶されているテーブルに基づき行われる。テーブルを例えば基地局Ｎｏｄｅ Ｂから加入者局ＵＥ１，ＵＥ２に送信することができ、したがって対応付けが変更された新たなテーブルで何時でも代替することができる。
【００５２】
基地局Ｎｏｄｅ Ｂが無線チャネルＢＣＣＨを介しても、それぞれ専用の伝送チャネルを介しても２つの加入者局ＵＥ１，ＵＥ２に伝送パラメータの異なる値をシグナリングできることは自明である。
【００５３】
伝送パラメータの値の選択は図２に示されているように第１の情報Ｉ１および第２の情報Ｉ２のビット組み合わせに依存させることができる。複数の加入者局、例えば１００の加入者局がデータを基地局Ｎｏｄｅ Ｂに伝送する場合には、値の選択をビット値、すなわち相応の加入者局の固有の伝送品質に該当する情報、また付加的に第２の限界値Ｇ２よりも大きい伝送品質を表すビット値（情報）の総数に依存させることができる。
【００５４】
基地局Ｎｏｄｅ Ｂは図２に示した２つの加入者局ＵＥ１，ＵＥ２に無線送信チャネルＢＣＣＨを介して、伝送パラメータの値の選択のためのファンクションをシグナリングできることも自明である。加入者局ＵＥ１，ＵＥ２は第１の情報Ｉ１および第２の情報Ｉ２に基づき、伝送パラメータのそれぞれ使用すべき値を求める。さらに本発明によれば、基地局Ｎｏｄｅ Ｂは２つの加入者局ＵＥ１，ＵＥ２にそれぞれ専用チャネルを介して、伝送パラメータの値をそれぞれ選択ないし計算するための個別的なファンクション、すなわち加入者局固有のファンクションをシグナリングすることもできる。
【００５５】
第２の実施例において第２の限界値Ｇ２は第１の実施例と同様に、無線ネットワークコントローラＲＮＣによって基地局Ｎｏｄｅ Ｂに通知される。図２においては図１よりも多くの加入者局が基地局Ｎｏｄｅ Ｂとのコネクションを有するので、第２の限界値Ｇ２は例えば第１の限界値Ｇ１よりも大きく選択される。
【００５６】
本発明を下り方向、すなわちダウンリンクにおける伝送にも使用できることは自明である。この場合においては、基地局の全ての加入者局がそれぞれの受信品質を測定し、この受信品質を必要に応じて加入者局固有の限界値と比較し、１ビット情報をそれぞれ基地局に送信する。基地局はそれぞれの１ビット情報から、それぞれの加入者局が相応の限界値を上回っているか下回っているかを取得し、これに基づいて相応の加入者局への後続のデータ伝送のために１つまたは複数の伝送パラメータを選択する。基地局は伝送パラメータの選択に使用される値を自身で設定するか、この基地局をコアネットワークと接続する無線ネットワークコントローラから得る。
【図面の簡単な説明】
【００５７】
【図１】本発明による方法の第１の実施例。
【図２】本発明による方法の第２の実施例。
【図１】
2007535222.tif 000003
【図２】
2007535222.tif 000004
【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
無線通信システムの無線局（Ｎｏｄｅ Ｂ）の動作方法において、
−前記無線局（Ｎｏｄｅ Ｂ）は第１の加入者局（ＵＥ１）の後続のデータ伝送のために伝送パラメータの少なくとも２つの値（ＰＡＲ１，ＰＡＲ２，ＰＡＲ３，ＰＡＲ４）に関する情報を前記第１の加入者局（ＵＥ１）に送信し、
−前記無線局（Ｎｏｄｅ Ｂ）は前記第１の加入者局（ＵＥ１）から無線インタフェースを介して第１の信号（ＰＳ１）を受信し、該第１の信号（ＰＳ１）に基づき伝送品質に関する尺度を検出し、
−前記無線局（Ｎｏｄｅ Ｂ）は、前記第１の加入者局（ＵＥ１）が第１の情報（Ｉ１）に基づき前記伝送パラメータの値（ＰＡＲ１，ＰＡＲ２，ＰＡＲ３，ＰＡＲ４）の内の１つの選択を実施するために、該第１の情報（Ｉ１）を前記第１の加入者局（ＵＥ１）に送信し、前記第１の情報（Ｉ１）は前記第１の信号（ＰＳ１）の前記伝送品質を考慮することを特徴とする、無線通信システムの無線局の動作方法。
【請求項２】
前記第１の情報（Ｉ１）を１ビットから構成する、請求項１記載の方法。
【請求項３】
前記無線局（Ｎｏｄｅ Ｂ）は前記第１の信号（ＰＳ１）の前記伝送品質に関する尺度と限界値（Ｇ１）との比較に基づき前記第１の情報（Ｉ１）を決定する、請求項１または２記載の方法。
【請求項４】
前記第１の情報（Ｉ１）が所定の内容である場合には、続く前記第１の加入者局（ＵＥ１）のデータ伝送を行わない、請求項１から３までのいずれか１項記載の方法。
【請求項５】
前記無線局（Ｎｏｄｅ Ｂ）は前記伝送パラメータの少なくとも２つの値（ＰＡＲ１，ＰＡＲ２）に関する情報および前記第１の情報（Ｉ１）を反復的に送信し、前記伝送パラメータの少なくとも２つの値（ＰＡＲ１，ＰＡＲ２）に関する情報の反復率（Ｒ１）は前記第１の情報（Ｉ１）の反復率（Ｒ２）よりも小さい、請求項１から４までのいずれか１項記載の方法。
【請求項６】
−前記無線局（Ｎｏｄｅ Ｂ）は第２の信号（ＰＳ２）を少なくとも１つの第２の無線局（ＵＥ２）から受信し、該第２の信号（ＰＳ２）に基づき該第２の信号の伝送品質に関する尺度を検出し、
−前記無線局（Ｎｏｄｅ Ｂ）は第２の情報（Ｉ２）を前記第１の情報（Ｉ１）にも前記第２の情報（Ｉ２）にも依存する前記伝送パラメータの値（ＰＡＲ１，ＰＡＲ２，ＰＡＲ３，ＰＡＲ４）の内の１つの選択のために前記第１の加入者局（ＵＥ１）に送信し、前記第２の情報（Ｉ２）は前記第２の信号（ＰＳ２）の前記伝送品質を考慮する、請求項１記載の方法。
【請求項７】
前記第１の情報（Ｉ１）および前記第２の情報（Ｉ２）をそれぞれ１ビットから構成する、請求項６記載の方法。
【請求項８】
前記無線局（Ｎｏｄｅ Ｂ）は前記第１の情報（Ｉ１）および前記第２の情報（Ｉ２）をそれぞれ、前記伝送品質に関する相応の尺度と限界値（Ｇ２）との比較に基づき決定する、請求項６または７記載の方法。
【請求項９】
前記無線局（Ｎｏｄｅ Ｂ）は前記伝送パラメータの少なくとも２つの値（ＰＡＲ１，ＰＡＲ２，ＰＡＲ３，ＰＡＲ４）に関する情報ならびに前記第１の情報（Ｉ１）および前記第２の情報（Ｉ２）を反復的に送信し、前記伝送パラメータの少なくとも２つの値（ＰＡＲ１，ＰＡＲ２，ＰＡＲ３，ＰＡＲ４）に関する情報の反復率（Ｒ１）は前記第１の情報（Ｉ１）の反復率（Ｒ２）および前記第２の情報（Ｉ２）の反復率（Ｒ２）よりも小さい、請求項６から８までのいずれか１項記載の方法。
【請求項１０】
ネットワーク装置（ＲＮＣ）により前記無線局（Ｎｏｄｅ Ｂ）に前記限界値（Ｇ１，Ｇ２）の値を設定する、請求項５または９記載の方法。
【請求項１１】
前記限界値（Ｇ１，Ｇ２）の値を前記無線局（Ｎｏｄｅ Ｂ）によって受信される加入者局（ＵＥ１，ＵＥ２）の数に依存して設定する、請求項５、９または１０記載の方法。
【請求項１２】
前記無線局（Ｎｏｄｅ Ｂ）は前記伝送パラメータの少なくとも２つの値（ＰＡＲ１，ＰＡＲ２，ＰＡＲ３，ＰＡＲ４）に関する情報を前記限界値（Ｇ１，Ｇ２）の値に依存して、および／または、前記無線局によって受信される加入者局（ＵＥ１，ＵＥ２）の数に依存して、および／または、前記無線局（Ｎｏｄｅ Ｂ）のノイズレベルまたは干渉レベルに依存して、および／または、受信される全ての加入者局（ＵＥ１，ＵＥ２）の平均的な伝送品質に依存して設定する、請求項１から１１までのいずれか１項記載の方法。
【請求項１３】
前記無線局（Ｎｏｄｅ Ｂ）は該無線局（Ｎｏｄｅ Ｂ）によって受信される全ての加入者局（ＵＥ１，ＵＥ２）に前記伝送パラメータの少なくとも２つの値（ＰＡＲ１，ＰＡＲ２，ＰＡＲ３，ＰＡＲ４）に関する同一の情報を送信する、請求項１から１２までのいずれか１項記載の方法。
【請求項１４】
パイロット信号を前記伝送品質に関する尺度を検出するための信号（ＰＳ１，ＰＳ２）として受信する、請求項１から１３までのいずれか１項記載の方法。
【請求項１５】
無線通信システムの第１の加入者局（ＵＥ１）の動作方法において、
前記第１の加入者局（ＵＥ１）は、
−該第１の加入者局（ＵＥ１）の後続のデータ伝送のために伝送パラメータの少なくとも２つの値（ＰＡＲ１，ＰＡＲ２，ＰＡＲ３，ＰＡＲ４）に関する情報を無線局（Ｎｏｄｅ Ｂ）から受信し、
−第１の信号（ＰＳ１）を、該第１の信号（ＰＳ１）に基づく伝送品質に関する尺度の検出のために前記無線局（Ｎｏｄｅ Ｂ）に無線インタフェースを介して送信し、
−前記伝送パラメータの値（ＰＡＲ１，ＰＡＲ２，ＰＡＲ３，ＰＡＲ４）の内の１つの選択のために前記無線局（Ｎｏｄｅ Ｂ）から第１の情報（Ｉ１）を受信し、前記第１の情報（Ｉ１）は前記第１の信号（ＰＳ１）の前記伝送品質を考慮し、
−前記第１の情報（Ｉ１）に基づき、前記伝送パラメータの値（ＰＡＲ１，ＰＡＲ２，ＰＡＲ３，ＰＡＲ４）の内の１つの選択を実施することを特徴とする、無線通信システムの第１の加入者局の動作方法。
【請求項１６】
無線通信システムの無線局（Ｎｏｄｅ Ｂ）において、
−第１の加入者局（ＵＥ１）の後続のデータ伝送のために伝送パラメータの少なくとも２つの値（ＰＡＲ１，ＰＡＲ２，ＰＡＲ３，ＰＡＲ４）に関する情報を前記第１の加入者局（ＵＥ１）に送信する手段（ＳＥ）を有し、
−前記第１の加入者局（ＵＥ１）から無線インタフェースを介して第１の信号（ＰＳ１）を受信する手段（ＳＥ）と、該第１の信号（ＰＳ１）に基づき伝送品質に関する尺度を検出する手段（Ｐ）とを有し、
−前記第１の加入者局（ＵＥ１）が第１の情報（Ｉ１）に基づき前記伝送パラメータの値（ＰＡＲ１，ＰＡＲ２，ＰＡＲ３，ＰＡＲ４）の内の１つの選択を実施するために該第１の情報（Ｉ１）を前記第１の加入者局（ＵＥ１）に送信する手段（ＳＥ）を有し、前記第１の情報（Ｉ１）は前記第１の信号（ＰＳ１）の前記伝送品質を考慮することを特徴とする、無線通信システムの無線局。
【請求項１７】
無線通信システムの加入者局（ＵＥ１，ＵＥ２）において、
−前記加入者局（ＵＥ１）の後続のデータ伝送のために伝送パラメータの少なくとも２つの値（ＰＡＲ１，ＰＡＲ２，ＰＡＲ３，ＰＡＲ４）に関する情報を無線局（Ｎｏｄｅ Ｂ）から受信する手段（ＳＥ１）を有し、
−第１の信号（ＰＳ１）を、該第１の信号（ＰＳ１）に基づく伝送品質に関する尺度の検出のために前記無線局（Ｎｏｄｅ Ｂ）に無線インタフェースを介して送信する手段（ＳＥ１）を有し、
−前記伝送パラメータの値（ＰＡＲ１，ＰＡＲ２，ＰＡＲ３，ＰＡＲ４）の内の１つの選択のために前記無線局（Ｎｏｄｅ Ｂ）から第１の情報（Ｉ１）を受信する手段（ＳＥ１）を有し、前記第１の情報（Ｉ１）は前記第１の信号（ＰＳ１）の前記伝送品質を考慮し、
−前記第１の情報（Ｉ１）に基づく前記伝送パラメータの値（ＰＡＲ１，ＰＡＲ２，ＰＡＲ３，ＰＡＲ４）の内の１つの選択を実施する手段（Ｐ１）を有することを特徴とする、無線通信システムの加入者局。
【国際調査報告】
2007535222.tif 000005
2007535222.tif 000006
2007535222.tif 000007
2007535222.tif 000008